(57)【要約】【課題】ウェアラブルな部品の取り扱い易さ向上。持ち歩く小物の紛失防止。【解決手段】ボタンラップ（釦にかぶせて取り付け、身に着けるもの、表現することばが無く、英語名を作り、読みをカタカナで記す）を使用する。ＩＣタグなどを装備したボタンラップをボタンに被せる。持ち歩く小物とボタンラップを紐などで接続、このボタンラップをボタンに被せる。【選択図】図１
2005339484.tif 000002
【特許請求の範囲】
【請求項１】
中または表面にＩＣタグまたはこれに類するＩＴデバイスを印刷、または、埋め込み、ＩＣタグ情報を読み出す機械を使用しる使用方法で、個人コードの認証など、ＩＴ化の処理を可能とするウェアラブル環境を提供する、釦にかぶせて取り付け、身に着けるもの、ボタンラップ（、表現することばが無く、英語名を作り、読みをカタカナで記す）。同様に、ＩＴデバイスに代わり、ボタンラップにバーコードや特定シンボルのような識別コードを表面に印刷、または、貼り付け、この情報を機械が読み取ることにより、個人識別、番号認識、などを可能とするウェアラブル環境を提供する、ボタンラップ。信号発信、信号受信、信号読取、などに関係するものをボタンラップに組み込み、ボタンに取り付けてウェアラブルに使用できるもの。
【請求項２】
ボタンラップと身につける小物などを接続することで、ボタンにボタンラップを取り付けた状態では、ボタンラップに接続された小物は、常時体につながれた状態となる。請求項１と同じく、体、服、ボタン、ボタンラップ、小物がそれぞれ接続されているため、小物の紛失の危険や放置による忘失、使用中の誤った小物落下や脱落、不意の小物に対する強奪、などから小物を守ることを可能とするウェアラブル環境を提供する。小物とは、たとえば、めがね、文房具、キーホルダー、時計、万歩計（登録商標）、携帯電話などである。これらと紐、ストラップ、などで接続し、体に接続された状態を保持することができる、ボタンラップ。
【発明の詳細な説明】
【技術分野】
【０００１】ＩＴ化社会のヒューマンインターフェイスの１つの形として、ウェアラブル（ｗｅａｒａｂｌｅ）な機器がある。ウェアラブルなメディアは、小型軽量、取扱容易などが要求され、著しい技術開発によりその目的を達成しつつある。【０００２】インターフェイスには、人間と機械の間のヒューマンインターフェイスや装置と装置、部品と部品の間で信号の処理を行うインターフェイスがある。機械に働きかけ、他の機械の信号を読み取ったりすることで情報を取得し処理するものである。具体例として、監視カメラ、荷物検査、自動改札、個人認証、自動施錠開錠などがあるが、これらの中には、人間が身につけることができるウェアラブルな部品をインターフェイスの中の一方の側として利用することが期待されている。
【背景技術】
【０００３】ウェアラブルの観点から身につけるものをあげると、服、めがね、帽子、マフラー、手袋、ベルト、リストバンドなどがあり、これらの形を使った機器には、めがね型のディスプレー装置、腕時計型のＰＨＳ、懐中時計ようの携帯電話などがすでにある。【０００４】体への物の取り付け方には、安全ピン、クリップ、紐、輪、針、くさり、ストラップなどがあり、これらを使用して装身具や保身具を身につけている。また、ワッペン、マジックテープなど、服や体に貼り付けるものもある。身につける物が体から離れないように、そして、落下しないように、かつ、簡単に取り外しができることなどが取り付ける側からの要求である。
【発明の開示】
【発明が解決しようとする課題】
【０００５】ウェアラブルで装置対装置のインターフェイスには、信号の発信と受信の関係が重要であり、片方が人間の側、もう一方が人間の回りにある機械の側が一般的な構図であるが、人間の目、耳、口など、特定の器官への入出力機器以外は、服に付けたり、ポケットに入れて持ち歩くものが多い。服に縫い付ける場合は、着替えなどへの対応や、手で持ち運ぶ場合は、紛失、落下の危険があり、着脱自由、確実取付、方向固定など、使いやすさの面でも、また、手軽さ、便利さ、柔軟さなど、身につける方法についても、その適正さを考える必要がある。【０００６】例えば、バーコードを身につけてそれを必要な時に機械が読み取る場合、身につけたバーコードは体の前面で正面を向いた状態で取り付けることが望ましい。もし、コートなど外套を着込み身につけたバーコードが覆われ隠れてしまう時は、取り付けたバーコードを外してコートの前へ移動させることも考えなければならない。取り付け場所を簡単に変えられる柔軟性が必要になる。【０００７】バーコードのような読み取る信号コードではなく、ＩＣタグのようにタグの中に書き込まれたデータを読み取る場合は、取り付け位置の制約は無く、身につけていれば機能するが、ＩＣタグ付き部品の取り扱いを容易にし、見える位置、取り付け位置を顕在化するためには、取り付け易さを含め、工夫が必要である。【０００８】取り付け方法が安全ピンの場合、服のどこにでも取り付けられるが、ピンで留めると、服地に穴が開き、服に傷をつけることになる。クリップで留める場合は、バネの強弱により、外れる可能性もあり、ピンと同様、服地に後を残す心配がある。紐で吊り下げる場合は、首から吊り下げたり、腕に吊り下げたり、衣服との調和、身だしなみが問題になる場合もある。
【問題を解決するための手段】
【０００９】本発明のボタンラップは、あらかじめ衣服についている釦に取り付けることを特徴とする。取り付け方は、ボタンを包み込みボタンにすがりつく形となる。ボタンにボタンラップをかぶせる以外は何も補助的なものを使用しない。ボタンがあればボタンラップは取り付けられる。
【００１０】ボタンにかぶせる物であるため、ボタンの有無がボタンラップの取り付け可否を左右する。ボタンがない場合は取り付けられないが、ボタンラップを取り付けたい位置にボタンさえ縫い付ければ、ボタンラップを取り付けることが出来る。装飾用のボタンも存在し、大小さまざまの大きさで種類も豊富である。飾りであっても服にボタンを取り付けることに違和感はなく、ボタンの場所が任意であっても特に問題になることはない。
【００１１】ボタンラップの取り付け方は、ボタン全体に覆いかぶせるものであるため、素早く取り付け、何度でも繰り返し使用することができる。
【００１２】中にバーコードを貼り付けたボタンラップを体正面のボタンにかぶせる。中にＩＣタグを埋め込んだボタンラップを右肩のボタンにかぶせる、太陽電池を貼り付けたボタンラップを左わき腹に取り付けたボタンにかぶせる。カメラを組み込んだボタンラップをカッターシャツの腕の袖のボタンにかぶせ、腕を高く上げて撮影した画像を携帯電話で確認する、などなど。このボタンラップはウェアラブル機器の取り付け形態の１つのとして、また、ますます小型化されるハイテク機器を身につける方法の１つとして利用価値は大きい。
【００１３】本発明は、体に付けるもの、または取り付け方法として一般的に使用されているものに対し、全く新しい提案をするもので、速く、確実に、衣服を傷めることなく、簡単に、体の任意の部分にある特定のもの、すなわち、ボタンラップと其の中に埋め込んだり印刷したもの、を保持することができる。ボタンラップの形状に自由な発想があれば、ファッション性も加わり、新たなファッション創造の素地を与えることにもなる。
【発明の効果】
【００１４】本発明の効果として次のものが挙げられる。
ウェアラブルであり、ＩＣタグなどハイテク機器の取り付け具として使用できる。取り付け取り外し自由で、服の布地に傷をつけない。ボタンのあるところならどこでも取り付けられる、ボタンラップを置きたいところにボタンを付ければ、取り付け場所は自由である。小型軽量、手軽でボタンにしっかりかぶさり、体へ物を接続するための手段として使用できる。
【発明を実施するための最良の形態】
【００１５】本発明は、釦を包み込む構造をしており、３つの部分からなる。第一はボタンの外側に位置する板状のもので、この表面または内部にインターフェイスに必要なＩＣタグなどを配置し固定する。（添付図符号１の部分）第二はボタンにかぶせるため、ボタンの厚みと大きさを包み込む懐を作る部分でその開度はボタンの直径よりわずかに大きくする。（添付図符号２の部分）第三はボタンを服に縫い付けている糸を通しボタンをボタンラップの中央付近に導き、ボタンを保持するもので、ボタンを縫いつける糸が一端通った後、糸が外れにくくするための工夫を施したもの。（添付図符号３の部分）この工夫には、ボタンの内側に位置する板状のものにスリットを有し、糸の通るスリットの先端部分の幅を狭くしたもの（添付図符号５の部分）や、バネ状のもので糸が通るときは押し開き、糸が通った後はバネで糸の通り道を閉じるもの（添付図符号１０の部分）などがある。
【実施例】
【００１６】ボタンラップの正面にＩＣタグなどハイテク機器を固定し、ボタンラップを服のボタンに取り付けることで、ウェアラブルを実現する。ボタンラップに取り付ける機器の種類により、監視カメラ、自動改札、個人認証、自動施錠開錠などに利用できる。【００１７】ボタンラップを単に体に小物を接続する手段として使用する場合、小物とボタンラップ間を紐などで接続したボタンラップを服のボタンに取り付けることで、体に小物を保持できる。ボタンラップに取り付ける物の種類により、めがね、手鏡、携帯電話、オーディオ機器などに利用できる。
【産業上の利用可能性】
【００１８】服の開口部を閉じる目的や装飾用で使用されていたボタンに従来に無い新たな用途が見出された。着脱可能なウェアラブル装置として、また物を体に保持する道具として、その利用可能性は大きい。
【図面の簡単な説明】
【００１９】
【図１】本発明のボタンラップ全体図  表から見た図
【図２】ボタンラップ全体図  裏から見た図
【図３】ボタンラップ側面断面図
【図４】ボタンへボタンラップをかぶせる直前の図
【図５】ボタンへボタンラップをかぶせた図
【図６】バネ付きボタンラップ全体図  裏から見た図
【図７】バネ付きボタンラップ側面断面図
【図８】めがねに紐を付け一方をボタンラップに取り付けた図
【符号の説明】
【００２０】１はボタンラップの正面の部分でボタンにボタンラップをかぶせた時、ボタンの外側に来る。この部分の表面にＩＣタグなどを貼り付けたり、印刷したり、埋め込んだりする。  ２はボタンの厚さと大きさを包み込む部分で、ボタンの約上半分を覆う。  ３はボタンラップの背面の部分でボタンにボタンラップをかぶせた時、ボタンの内側に来る。ボタンを縫い付けている糸を通す部分が必要である。  ４は１の部分に取り付けられたＩＣタグなどを示す。  ５は３の部分にボタンの糸を通すスリットを設け、その先端部を糸が通りにくくし、一端糸を通しボタンにかぶせたボタンラッパが外れないように考慮したもの。  ６は２により作られたボタン挿入の間隙である。ボタンの厚みより少し厚くする。  ７はボタン。  ８はボタンを服に取り付けている糸を模擬的に示している。  ９はボタンラップを示す。  １０は３の背面の変形で、５の部分をバネで構成したもの。  １１はボタンラップの１の部分に開けた穴。  １２は紐。  １３はめがねの例である。  １、１１、１２，１３で構成されためがねは、ボタンラップの１をボタンに取り付ける時、めがねと体が常につながった状態であり、めがねの紛失の心配が無い。
【図１】
2005339484.tif 000003
【図２】
2005339484.tif 000004
【図３】
2005339484.tif 000005
【図４】
2005339484.tif 000006
【図５】
2005339484.tif 000007
【図６】
2005339484.tif 000008
【図７】
2005339484.tif 000009
【図８】
2005339484.tif 000010